(57)【特許請求の範囲】
【請求項１】
キー操作によって施解錠が可能であり、かつ単独にも施解錠可能な鎌金を錠ケース内に設けてなる引戸錠であって、キーを挿入してロック可能なロック装置と、鎌金を操作するために前記錠ケースから突出させたツマミと、ロック装置とツマミとの間に設けられ、前記錠ケース内で移動操作される操作部材とを備え、操作部材はロック装置に設けた第１のピンに対応する第１のガイド溝と、ツマミに設けた第２のピンに対応する第２のガイド溝とを有し、前記第１のガイド溝は水平方向に出没するスライド部材を内蔵していてさらに縦溝および横溝に区画されており、ロック装置が開のときにはロック装置に設けた第１のピンは第１のガイド溝の縦溝内に位置していて操作部材の移動を許容しているため、ツマミの操作によって、ツマミに設けたピンとピンに対応する第２のガイド溝とを介して操作部材が錠ケース内で移動操作可能であって、鎌金を開閉自在に操作することができ、ロック装置を閉とすると前記第１のピンと第１のガイド溝とを介して操作部材が錠ケース内で移動して鎌金も閉となり、同時にロック装置に設けた第１のピンと第１のガイド溝の横溝とが係合して操作部材の移動を規制するためツマミは操作不能となっており、ロック装置を閉から開にすると、前記ロック装置に設けた第１のピンと第１のガイド溝とを介して操作部材が錠ケース内で移動して、ツマミに設けた第２のピンによって第２のガイド溝を介して鎌金が移動して開となるとともに、鎌金が閉でロック装置が開のときには前記ロック装置に設けた第１のピンが第１のガイド溝の縦溝内で空転するようにして、操作部材を移動させないでロック装置を閉とすることができるようにしたことを特徴とする引戸錠。
【発明の詳細な説明】
【０００１】
【発明の属する技術分野】
この発明は、ミニハウスや物置、倉庫、ガレージ等の組立家屋等の引違い戸を施錠するための引戸錠に関するものである。
【０００２】
【従来の技術】
組立家屋等に設けられる引違い戸には、物品の出し入れや整理作業等の途中で、一時的にその場を離れる際に、犬、ねこの侵入や塵埃が内部に入るのを防止するために、一時的な施錠を行なう仮錠が設けられることが多い。
【０００３】
このような施錠は、鎌金に一体的に取り付けられたツマミを回動操作することにより、相手側の引違い戸に取り付けた係合部に、その鎌金を係脱させるように構成されたものが多く、仮錠のみが設けられることもあり、本錠とともに設けられることもある。
【０００４】
【発明が解決しようとする課題】
ところが、ツマミの回動操作によって施解錠動作を行なう場合には、その操作が面倒であり、改善が望まれていた。
【０００５】
この発明は以上のような事情に鑑みてなされ、仮施錠、本施錠操作および解錠操作が簡単な引戸錠を提供することを目的とするものである。
【０００６】
【課題を解決するための手段】
この発明の引戸錠は、上述の課題を解決するための手段を次のように構成している。すなわち、キー操作によって施解錠が可能であり、かつ単独にも施解錠可能な鎌金を錠ケース内に設けてなる引戸錠であって、キーを挿入してロック可能なロック装置と、鎌金を操作するために前記錠ケースから突出させたツマミと、ロック装置とツマミとの間に設けられ、前記錠ケース内で移動操作される操作部材とを備え、操作部材はロック装置に設けた第１のピンに対応する第１のガイド溝と、ツマミに設けた第２のピンに対応する第２のガイド溝とを有し、前記第１のガイド溝は水平方向に出没するスライド部材を内蔵していてさらに縦溝および横溝に区画されており、ロック装置が開のときにはロック装置に設けた第１のピンは第１のガイド溝の縦溝内に位置していて操作部材の移動を許容しているため、ツマミの操作によって、ツマミに設けたピンとピンに対応する第２のガイド溝とを介して操作部材が錠ケース内で移動操作可能であって、鎌金を開閉自在に操作することができ、ロック装置を閉とすると前記第１のピンと第１のガイド溝とを介して操作部材が錠ケース内で移動して鎌金も閉となり、同時にロック装置に設けた第１のピンと第１のガイド溝の横溝とが係合して操作部材の移動を規制するためツマミは操作不能となっており、ロック装置を閉から開にすると、前記ロック装置に設けた第１のピンと第１のガイド溝とを介して操作部材が錠ケース内で移動して、ツマミに設けた第２のピンによって第２のガイド溝を介して鎌金が移動して開となるとともに、鎌金が閉でロック装置が開のときには前記ロック装置に設けた第１のピンが第１のガイド溝の縦溝内で空転するようにして、操作部材を移動させないでロック装置を閉とすることができるようにしたことを特徴とするものである。
【０００７】
このような構成により、本発明は次のような機能を果たすものである。
１）ツマミを回動操作することによって鎌金を施錠方向に回動させて仮施錠のラッチ状態を形成することができ、また、ツマミを逆方向に回動操作することにより、そのラッチ状態を解除することができる。
２）一方、キー操作をすることによって、ロック装置を介して操作部材を移動させ、ロック装置とともに鎌金を施錠方向に回動させて、本施錠のラッチ状態を形成することができる。むろん、ロック装置が本施錠の状態であるので、ツマミを回動操作することによって鎌金を解錠することはできない。
３）さらに、鎌金を施錠方向に回動させて仮施錠のラッチ状態を形成している場合において、キー操作をすることによって、ロック装置を介して操作部材を移動させることなく本施錠のラッチ状態をも実現することができる。
４）また本施錠のラッチ状態において、キーを逆方向に回動操作することにより、そのラッチ状態を解除するばかりか鎌金をも解錠方向に回動させることができ、ロック装置および鎌金の双方を開放することができる。
【０００８】
【発明の実施の形態】
以下にこの発明の引戸錠の実施の形態につき、図面に基づいて詳細に説明する。
【０００９】
図面において図１はこの発明の引戸錠の縦断側面図、図２は操作部材を外した状態の背面図（操作部材の斜視図）、図３は施解錠動作を説明するためのもので、鎌金が開の状態を示す背面図、図４は鎌金を仮施錠した状態を示す背面図、図５はロック装置を施錠している状態を示す背面図、図６はロック装置を施錠し終わった状態を示す背面図、図７はロック装置を解錠している状態を示す背面図である。
【００１０】
これらの図において、符号１は仮施錠および本施錠が可能な鎌金、２はその鎌金１を収納する錠ケース、３は鎌金１と所定の間隔で、その下方に配置されたロック装置、４はそのロック装置３に挿脱自在なキー、５はそのロック装置３を介して錠ケース２内で移動操作される操作部材であり、その操作部材５の下部（一端側）に形成した第１のガイド溝６に、ロック装置３の先端に設けた第１のピン７を係合させ、キー４の操作で、前記操作部材５を上下に移動させることができるようになっている。
【００１１】
上述の鎌金１は、錠ケース２の側面において引戸と平行に回動操作されるようになっており、錠ケース２の外側に設けたツマミ８によって開放位置と仮施錠もしくは本施錠位置との間を９０ーの角度範囲で回動させるようになっている。そして、操作部材５の上部（他端側）に水平方向に形成した横長の第２のガイド溝９に、ツマミ８の他端に設けた第２のピン１０を係合させることにより、ツマミ８の操作で鎌金１が９０ー回動するのと同時に、前記操作部材５を上下に移動させることができるようになっている。
【００１２】
図において、１１は鎌金１の他端に突設したフック、１２および１３はこのフック１１に係合して、鎌金１の回動を９０ーの範囲に規制するストッパである。なお、上記フック１１部分を錠ケース２内の適所との間に張り渡したコイルバネ等で牽引しておくことにより、鎌金１は常時開方向に回動する方向に付勢されており、キー４の操作によって鎌金１を解錠する際の力を大幅に軽減することができる。
【００１３】
前記第１のガイド溝６は、全体としてほぼ縦長の長方形に形成されており、その横幅はロック装置３をキー４の操作で回動させたときに第１のピン７が振れる幅に対応して設けられている。また縦の長さは、ツマミ８の操作で前記操作部材５を上下に移動させる長さに対応して設けられている。
【００１４】
前記第１のガイド溝６の内部には、常態で第１のガイド溝６が逆Ｌ字形になるよう規制するスライド部材１４が出没自在に保持されている。このスライド部材１４はコイルバネ１５によって常時突出する方向に付勢されており、ロック装置３の先端に設けた第１のピン７に押されて後退する。そしてこのスライド部材１４は前記第１のピン７の回動操作に応じて水平方向にのみスライド可能となっており、鉛直方向には移動することができない。
【００１５】
ロック装置３の先端に設けた第１のピン７は、キー４が開の位置にある時は逆Ｌ字形の第１のガイド溝６の縦溝６−１内に位置していて、ツマミ８の操作で前記操作部材５を上下に移動させることを許容する高さに保持されており、鎌金１を仮施錠できるようになっている。また、キー４が閉の位置にある時も逆Ｌ字形の第１のガイド溝６の縦溝６−１内に位置しているが、操作部材５の移動範囲の最下部の位置にあり、ツマミ８の操作では前記操作部材５を上方に移動させることができず、鎌金１は本施錠された状態である。
【００１６】
第１のガイド溝６にはスライド部材１４によって横溝６−２も設けられている。この横溝６−２は、キー４の施錠操作の際の第１のピン７の回動操作に応じてスライド部材１４が後退したときには解消されるが、第１のピン７が回動してスライド部材１４の下部に移動し、スライド部材１４が前進したときに再度形成される。またキー４の解錠操作の際には、第１のピン７は横溝６−２内においてキー４の回動操作に応じてスライド部材１４を押し上げるようになっている。
【００１７】
図中１６は裏蓋で、錠ケース２内に適宜配置された台座１７にビス止めされるようになっている。
【００１８】
以上のように構成された引戸錠の施解錠動作について、以下順をおって説明する。
（鎌金が開の状態における本施錠）先ず、キー４をロック装置３に挿入して施錠方向に回動させると、ロック装置３の第１のピン７も第１のガイド溝６の前記横溝６−２内を移動しながら回動し、操作部材５を下方に押し下げる。同時に操作部材５は、第２のガイド溝９に係合したツマミ８の他端に設けた第２のピン１０を下方に引き下ろし、鎌金１を９０ー回動させて本施錠させる（図７参照）。
（仮施錠）他方、キー４が開の位置にある時は（図３参照）、ツマミ８を操作して第２のピン１０を下方に移動させ、鎌金１を９０ー回動させて仮施錠することができる。
（仮施錠からの解錠）そのとき、ロック装置３の第１のピン７は第１のガイド溝６の縦溝６−１内に位置していて、前記操作部材５の上下移動には何ら影響を受けない（図４参照）。
（鎌金が閉の状態における本施錠）次に、キー４が開の位置にあり、ツマミ８の操作で前記操作部材５を下方に移動させて鎌金１を仮施錠した状態において（図４参照）、キー４の操作でロック装置３を本施錠しようとすると、ロック装置３の先端に設けた第１のピン７は第１のガイド溝６の縦溝６−１内の上端に位置しているが、第１のピン７の回動に応じてスライド部材１４がコイルバネ１５の弾性に抗してガイド溝６の横幅いっぱいまでスライドし、第１のピン７は操作部材５の移動を伴わないで回動させることができる（図５参照）。そして第１のピン７は第１のガイド溝６の横溝６−２を経由して、再度縦溝６−１内の下端に保持され、ロック装置３は本施錠される（図６参照）。その状態になると、スライド部材１４はコイルバネ１５によって元の位置に復帰する。
【００１９】
このキー４が閉の位置にある時には、第１のピン７は第１のガイド溝６の縦溝６−１内に位置しているが、操作部材５の移動範囲の最下部の位置にあり、ツマミ８の操作では前記操作部材５を上方に移動させることができない。すなわち鎌金１は本施錠された状態である。
（本施錠からの解錠）キー４が閉の位置にあり、鎌金１が本施錠された状態において、キー４の操作でロック装置３を解錠しようとすると、ロック装置３の先端に設けた第１のピン７は第１のガイド溝６の縦溝６−１内の下端の位置から横溝６−２内に移動し、スライド部材１４の下端に係合して操作部材５を押し上げる（図７参照）。それとともに、操作部材５は第２のガイド溝９内に係合しているツマミ８の他端に設けた第２のピン１０を押し上げ、鎌金１を解錠位置まで９０ー回動させる。最後に第１のピン７は横溝６−２内から外れて縦溝６−１内の上端に保持され、ロック装置３の解錠操作によって鎌金１も自動的に解錠される（図３参照）。
【００２０】
【発明の効果】
このような構成により、本発明は次のような効果を奏するものである。
１）ツマミを回動操作することによって鎌金を施錠方向に回動させて仮施錠のラッチ状態を形成することができ、また、ツマミを逆方向に回動操作することにより、そのラッチ状態を解除することができる。
２）一方、キー操作をすることによって、ロック装置を介して操作部材を移動させ、ロック装置とともに鎌金を施錠方向に回動させて、本施錠のラッチ状態を形成することができる。むろん、ロック装置が本施錠の状態であるので、ツマミを回動操作することによって鎌金を解錠することはできない。
３）さらに、鎌金を施錠方向に回動させて仮施錠のラッチ状態を形成している場合において、キー操作をすることによって、ロック装置を介して操作部材を移動させることなく本施錠のラッチ状態をも実現することができる。
４）また本施錠のラッチ状態において、キーを逆方向に回動操作することにより、そのラッチ状態を解除するばかりか鎌金をも解錠方向に回動させることができ、ロック装置および鎌金の双方を開放することができる。
【図面の簡単な説明】
【図１】この発明の引戸錠の縦断側面図である。
【図２】操作部材を外した状態の背面図（操作部材の斜視図）である。
【図３】施解錠動作を説明するための図であり、鎌金が開の状態を示す背面図である。
【図４】鎌金を仮施錠した状態を示す背面図である。
【図５】ロック装置を施錠している状態を示す背面図である。
【図６】ロック装置を施錠し終わった状態を示す背面図である。
【図７】ロック装置を解錠している状態を示す背面図である。
【符号の説明】
１ 鎌金
２ 錠ケース
３ ロック装置
４ キー
５ 操作部材
６ 第１のガイド溝
６−１ 縦溝
６−２ 横溝
７ ピン
８ ツマミ
９ 第２のガイド溝
１０ ピン
１１ フック
１２，１３ ストッパ
１４ スライド部材
１５ コイルバネ
１６ 裏蓋
１７ 台座
【図１】
0004251381.tif 000002
【図２】
0004251381.tif 000003
【図３】
0004251381.tif 000004
【図４】
0004251381.tif 000005
【図５】
0004251381.tif 000006
【図６】
0004251381.tif 000007
【図７】
0004251381.tif 000008